(57)【要約】      （修正有）【課題】簡易且つ安価な構成により、粘着剤付きラベルを剥離シート上に残した帯状のラベルシートと粘着剤付き枠部とを別途に巻き取る。【解決手段】回転自在に支持されるとともに、ラベル用紙にラベル抜き加工とラベル印刷とが施されているラベルシートを間に供給され、その剥離シートとその剥離シート上の枠部とをそれぞれの外周面に沿う方向に案内し、ラベルシートと枠部とを互いに離間する方向へ送り出す二本の分離ローラと、二本の分離ローラから送り出された、粘着剤付きラベルを残したラベルシートを巻き取るラベルシート巻取り軸と、枠部を巻き取る枠部巻取り軸と、それらラベルシート巻取り軸と枠部巻取り軸とを一緒に回転駆動する単一のモータの出力軸の回転をラベルシート巻取り軸と枠部巻取り軸とにそれぞれ伝動するとともに、枠部巻取り軸に対しては滑り締結状態の機械式摩擦クラッチを介して伝動する伝動機構と、を具える。【選択図】図１
2019031392.tif 000002
【特許請求の範囲】
【請求項１】
剥離シートとその上に付着した粘着剤付きラベル用紙とを有し、その粘着剤付きラベル用紙にその長手方向に沿ってラベル抜き加工とラベル印刷とが繰り返し施されて粘着剤付きラベルが多数形成された帯状のラベルシートの前記剥離シートから、前記粘着剤付きラベルの周囲の連続的な梯子状の枠部だけを剥がして分離させ、それら粘着剤付きのラベルを剥離シート上に付着したまま残したラベルシートと粘着剤付きの梯子状の枠部とを別途に巻き取るシート巻取り装置において、
回転自在に支持されるとともに、前記ラベル用紙にラベル抜き加工とラベル印刷とが施されているラベルシートを間に供給され、そのラベルシートの前記剥離シートとその剥離シート上の前記枠部とをそれぞれの外周面に沿う方向に案内し、前記粘着剤付きラベルを剥離シート上に付着したまま残したラベルシートと、前記剥離シート上から剥がした前記枠部とを互いに離間する方向へ送り出す二本の分離ローラと、
前記二本の分離ローラから送り出された、前記粘着剤付きラベルを剥離シート上に付着したまま残したラベルシートを巻き取るラベルシート巻取り軸と、
前記二本の分離ローラから送り出された前記枠部を巻き取る枠部巻取り軸と、
前記ラベルシート巻取り軸と前記枠部巻取り軸とを一緒に回転駆動する単一のモータと、
前記モータの出力軸の回転を、前記ラベルシート巻取り軸と前記枠部巻取り軸とにそれぞれ伝動するとともに、前記枠部巻取り軸に対しては滑り締結状態の機械式摩擦クラッチを介して伝動して、前記枠部巻取り軸による前記枠部の巻取り速度を前記ラベルシート巻取り軸による前記ラベルシートの巻取り速度に対応させる伝動機構と、
を具えることを特徴とするシート巻取り装置。
【請求項２】
前記機械式摩擦クラッチは、前記伝動機構の、前記枠部巻取り軸に前記モータの出力軸の回転を伝動する回転部材と前記枠部巻取り軸との間に円筒状の滑り部材を介挿するとともに、それら回転部材と滑り部材とをそれぞれ、軸線方向に延在する切れ目を設けて弾性的に拡縮径可能とし、前記回転部材の前記切れ目の近傍に、締め込みによってその切れ目を縮小させて前記回転部材と前記滑り部材とを縮径させ、前記回転部材と前記枠部巻取り軸との滑り締結力を強めるねじ部材を設けたものであることを特徴とする、請求項１記載のシート巻取り装置。
【請求項３】
前記伝動機構は、前記モータの出力軸に結合した駆動プーリと、前記ラベルシート巻取り軸と枠部巻取り軸とにそれぞれ結合した二個の従動プーリと、それら駆動プーリと二個の従動プーリとに巻き掛けた共通の環状ベルトとを有するベルト伝動機構であることを特徴とする、請求項１または２記載のシート巻取り装置。
【請求項４】
前記ラベルシートの供給方向に関して前記二本の分離ローラの上流側に巻取り緩み防止機構を具え、この巻取り緩み防止機構は、前記ラベルシートを交互に巻回される、上方の固定位置に位置するフリ−ローラおよびそのフリーローラよりも下方に位置するダンサーローラと、そのダンサーローラを上下方向揺動可能に支持する支持フレームとを有することを特徴とする、請求項１から３までの何れか１項記載のシート巻取り装置。
【請求項５】
前記巻取り緩み防止機構は、前記支持フレームの上方揺動により前記ラベルシートの残り不足を検出して前記モータへの給電を停止する巻取り過ぎ防止スイッチを有することを特徴とする、請求項４記載のシート巻取り装置。
【発明の詳細な説明】
【技術分野】
【０００１】
この発明は、剥離シートとその上に付着した粘着剤付きラベル用紙とを有する帯状のラベルシートのラベル用紙にその長手方向に沿ってラベル抜き加工とラベル印刷とを繰り返し施して粘着剤付きラベルを多数製作する際に用いられ、ラベル用紙にラベル抜き加工とラベル印刷とを施した後のラベルシートの剥離シート上からラベルの周囲の連続的な梯子状の枠部だけを剥がし、粘着剤付きのラベルが付着したまま残った剥離シートと、粘着剤付きの梯子状の枠部とを別途に巻き取るシート巻取り装置に関するものである。
【背景技術】
【０００２】
ラベル印刷においてフチなし印刷と呼ばれる方式は、図柄をラベルから周囲にはみ出させて印刷するため、剥離シートとその上に付着した粘着剤付きラベル用紙とを有する帯状のラベルシートにその長手方向に沿って、ラベルの輪郭をハーフカット状態で切り抜くラベル抜き加工を繰り返し施した後、ラベルからはみ出すインクの受け皿としてラベルの周囲に設けた、一般に「カス」と呼ばれる連続的な梯子状の枠部をラベルと一緒に剥離シート上に残したままでラベルシートをロール状に巻き、そのラベルシートロールをラベルプリンタに装填してそこからラベルシートを繰り出しながらラベル用紙にラベル印刷を行う。
【０００３】
このためラベル印刷後のラベルは、枠部で囲まれていて剥離シートから剥がしにくい状態となっており、それゆえ、被着物への粘着剤付きラベルの貼付けの際にラベルを剥離シートから剥がし易くするには、上記ラベル印刷後のラベルシートの剥離シートから粘着剤付き枠部だけを剥がして分離させる必要がある。
【０００４】
ところで従来、ラベル印刷後の粘着剤付きラベルを剥離シートから剥がして分離させ、そのラベルを被着物に貼り付けるとともに、ラベルを剥がした剥離シートをロール状に巻き取るラベル貼付け装置が例えば特許文献１にて知られており、このラベル貼付け装置は、枠部を剥がして粘着剤付きラベルだけを剥離シート上に残した帯状のラベルシートをロール状に巻いたラベルシートロールを支持するシートロール支持手段と、そのラベルシートロールから粘着剤付きラベルだけが剥離シート上に付着したラベルシートを繰り出すラベルシート繰出し手段と、その繰り出したラベルシートの剥離シート上に付着した粘着剤付きラベルを剥離シートから１枚ずつ剥がすラベル剥離手段と、その剥離シートから剥がした粘着剤付きラベルを被着物に押圧して付着させるラベル付着手段と、粘着剤付きラベルを剥がした剥離シートを巻き取る剥離シート巻取り手段とを具えている。
【０００５】
ここで、ラベルシート繰出し手段は、モータで駆動ローラを回転駆動して、粘着剤付きラベルが剥離シート上に付着したラベルシートをその駆動ローラとピンチローラとの間に挟んで引いてラベルシートロールから繰り出し、剥離シート巻取り手段は、モータで駆動軸を回転駆動して、その駆動軸に基端部を連結するとともに駆動軸の軸線周りに等間隔に配置した複数本の巻取り部材上に、粘着剤付きラベルを剥がした剥離シートを巻き取るように構成しており、その剥離シートを巻き取った剥離シートロールの保持と容易な抜き取り除去とを可能にするため、複数本の巻取り部材の先端部は各々、駆動軸の軸線上に配置された円錐状の調整部材と摺接し、その調整部材の軸線方向移動によって、それらの巻取り部材の先端部の、駆動軸の軸線を中心とした配置円を拡縮径可能としている。
【先行技術文献】
【特許文献】
【０００６】
【特許文献１】特開２００８−２０１５２７号公報
【発明の概要】
【発明が解決しようとする課題】
【０００７】
しかしながら上記従来の巻取り手段は、ラベルシート繰出し手段の駆動ローラの駆動用のモータと、剥離シート巻取り手段の駆動軸の駆動用のモータとをそれぞれ設け、剥離シート巻取り手段での剥離シートの巻取りが進むにつれて増大する巻取り径での巻取り速度がラベルシート繰り出し手段でのラベルシートの繰り出し速度に対応するように、剥離シート巻取り手段の駆動用モータの回転速度とラベルシート繰り出し手段の駆動用モータの回転速度とを制御する必要があることから、二つのモータとそれらの制御装置とにコストが嵩むという問題があった。
【０００８】
さらに、上記従来の剥離シート巻取り手段は、複数本の巻取り部材の先端部の配置円を円錐状の調整部材との摺接で拡縮径させているので、剥離シートを巻き取った剥離シートロールの取り外しの際は調整部材を充分に移動させる必要があって手間がかかるという問題もあった。
【０００９】
この発明は、従来技術が抱える上述の如き問題を解決し、簡易且つ安価な構成により、粘着剤付き枠部だけを剥離シートから剥がして分離させて、粘着剤付きラベルを剥離シート上に付着したまま残した帯状のラベルシートと、粘着剤付き枠部とを別途に巻き取るシート巻取り装置を提供することを目的とするものである。
【課題を解決するための手段】
【００１０】
上記目的を有利に達成するこの発明のシート巻取り装置は、
剥離シートとその上に付着した粘着剤付きラベル用紙とを有し、その粘着剤付きラベル用紙にその長手方向に沿ってラベル抜き加工とラベル印刷とが繰り返し施されて粘着剤付きラベルが多数形成された帯状のラベルシートの前記剥離シートから、前記粘着剤付きラベルの周囲の連続的な梯子状の枠部だけを剥がして分離させ、それら粘着剤付きのラベルを剥離シート上に付着したまま残したラベルシートと粘着剤付きの梯子状の枠部とを別途に巻き取るシート巻取り装置において、
回転自在に支持されるとともに、前記ラベル用紙にラベル抜き加工とラベル印刷とが施されているラベルシートを間に供給され、そのラベルシートの前記剥離シートとその剥離シート上の前記枠部とをそれぞれの外周面に沿う方向に案内し、前記粘着剤付きラベルを剥離シート上に付着したまま残したラベルシートと、前記剥離シート上から剥がした前記枠部とを互いに離間する方向へ送り出す二本の分離ローラと、
前記二本の分離ローラから送り出された前記粘着剤付きラベルを剥離シート上に付着したまま残したラベルシートを巻き取るラベルシート巻取り軸と、
前記二本の分離ローラから送り出された前記枠部を巻き取る枠部巻取り軸と、
前記ラベルシート巻取り軸と前記枠部巻取り軸とを一緒に回転駆動する単一のモータと、
前記モータの出力軸の回転を、前記ラベルシート巻取り軸と前記枠部巻取り軸とにそれぞれ伝動するとともに、前記枠部巻取り軸に対しては滑り締結状態の機械式摩擦クラッチを介して伝動して、前記枠部巻取り軸による前記枠部の巻取り速度を前記ラベルシート巻取り軸による前記ラベルシートの巻取り速度に対応させる伝動機構と、
を具えることを特徴としている。
【発明の効果】
【００１１】
この発明のシート巻取り装置にあっては、剥離シートとその上に付着した粘着剤付きラベル用紙とを有し、その粘着剤付きラベル用紙にその長手方向に沿って例えばカッターローラによりラベル抜き加工が繰り返し施されるとともにプリンタによりラベル印刷が繰り返し施されて粘着剤付きラベルが多数形成された帯状のラベルシートを、例えばそのプリンタから、各々回転自在に支持された二本の分離ローラの間に供給すると、それらの分離ローラが、そのラベルシートの剥離シートとその剥離シート上の枠部とをそれぞれの分離ローラの外周面に沿う方向に案内して、粘着剤付きラベルを剥離シート上に付着したまま残したラベルシートと、剥離シート上から剥がした前記枠部とを互いに離間する方向へ送り出し、ラベルシート巻取り軸が、それら二本の分離ローラから送り出された、粘着剤付きラベルを剥離シート上に付着したまま残したラベルシートを巻き取るとともに、枠部巻取り軸が、それら二本の分離ローラから送り出された枠部を巻き取り、単一のモータが、それらラベルシート巻取り軸と枠部巻取り軸とを一緒に回転駆動し、そして伝動機構が、前記モータの出力軸の回転を、ラベルシート巻取り軸と枠部巻取り軸とにそれぞれ伝動するとともに、枠部巻取り軸に対しては滑り締結状態の機械式摩擦クラッチを介して伝動して、枠部巻取り軸による枠部の巻取り速度をラベルシート巻取り軸によるラベルシートの巻取り速度に対応させる。
【００１２】
従って、この発明のシート巻取り装置によれば、単一のモータでラベルシート巻取り軸と枠部巻取り軸とを一緒に回転駆動し、しかも滑り締結状態の機械式摩擦クラッチによる伝動で、枠部巻取り軸による枠部の巻取り速度を、枠部やラベルシートの増大する巻取り径の相違にかかわらず、ラベルシート巻取り軸によるラベルシートの巻取り速度に対応させるので、ラベルシートの剥離シートから粘着剤付きラベルの周囲の連続的な梯子状の枠部だけを剥がして分離させ、粘着剤付きラベルを剥離シート上に付着したまま残した帯状のラベルシートと粘着剤付き枠部とを別途に巻き取るシート巻取り装置を、簡易且つ安価に構成することができる。
【００１３】
なお、この発明のシート巻取り装置においては、前記機械式摩擦クラッチは、前記伝動機構の、前記枠部巻取り軸に前記モータの出力軸の回転を伝動する回転部材と前記枠部巻取り軸との間に円筒状の滑り部材を介挿するとともに、それら回転部材と滑り部材とをそれぞれ、軸線方向に延在する切れ目を設けて弾性的に拡縮径可能とし、前記回転部材の前記切れ目と交差する位置に、締め込みによってその切れ目を縮小させて前記回転部材と前記滑り部材とを縮径させ、前記回転部材と前記枠部巻取り軸との滑り締結力を強めるねじ部材を設けたものであると好ましい。
【００１４】
このように機械式摩擦クラッチを構成すれば、安価な構成で、滑り締結状態を確実に得ることができ、しかもねじ部材の締め込みあるいは緩めで滑り締結力を適宜調整することができる。
【００１５】
また、この発明のシート巻取り装置においては、前記伝動機構は、前記モータの出力軸に結合した駆動プーリと、前記ラベルシート巻取り軸と枠部巻取り軸とにそれぞれ結合した二個の従動プーリと、それら駆動プーリと二個の従動プーリとに巻き掛けた共通の環状ベルトとを有するベルト伝動機構であると好ましい。
【００１６】
このように伝動機構を構成すれば、安価な構成で、単一のモータの出力軸の回転をラベルシート巻取り軸と枠部巻取り軸とに伝動でき、しかも枠部巻取り軸に結合した従動プーリに容易に機械式摩擦クラッチを設けることができる。
【００１７】
さらに、この発明のシート巻取り装置においては、前記ラベルシートの供給方向に関して前記二本の分離ローラの上流側に巻取り緩み防止機構を具え、この巻取り緩み防止機構は、前記ラベルシートを交互に巻回される、上方の固定位置に位置するフリ−ローラおよびそのフリーローラよりも下方に位置するダンサーローラと、そのダンサーローラを上下方向揺動可能に支持する支持フレームとを有すると好ましい。
【００１８】
このように巻取り緩み防止機構を構成すれば、フリ−ローラとダンサーローラとに巻回されたラベルシートに、ダンサーローラおよび支持フレームの自重によってダンサーローラが張力を与えて、そのラベルシートを二本の分離ローラの間に供給するので、二本の分離ローラがラベルシートを挟持しつつラベルシート巻取り軸と枠部巻取り軸との巻取り速度に同期して駆動回転されなくても、ラベルシート巻取り軸に巻き取るラベルシートと枠部巻取り軸に巻き取る枠部との巻取り緩みを防止することができる。
【００１９】
そして前記巻取り緩み防止機構は、前記支持フレームの上方揺動により前記ラベルシートの残り不足を検出して前記モータへの給電を停止する巻取り過ぎ防止スイッチを有していると好ましい。
【００２０】
このように巻取り緩み防止機構を構成すれば、巻取り緩みと同時に巻取り過ぎも簡易な構成で防止することができ、特に、細い枠部の巻取り過ぎによる不測の切断を有効に防止することができる。
【図面の簡単な説明】
【００２１】
【図１】この発明のシート巻取り装置の一実施形態をそれと併用するラベルプリンタの一部とともに示す正面図である。
【図２】上記実施形態のシート巻取り装置を一部透視状態で示す平面図である。
【図３】（ａ）および（ｂ）は、上記実施形態のシート巻取り装置を筐体の透視状態で示す側面図および背面図である。
【図４】（ａ）および（ｂ）は、上記実施形態のシート巻取り装置の機械式摩擦クラッチを構成する第２の従動プーリおよび滑り部材をそれぞれ示す端面図である。
【図５】（ａ），（ｂ）および（ｃ）は、この発明のシート巻取り装置の他の一実施形態の要部を示す正面図、平面図および側面図である。
【発明を実施するための形態】
【００２２】
以下、この発明の実施形態を図面に基づき詳細に説明する。図１は、この発明のシート巻取り装置の一実施形態をそれと併用するラベルプリンタの一部とともに示す正面図、図２は、上記実施形態のシート巻取り装置を一部透視状態で示す平面図、図３（ａ）および図３（ｂ）は、上記実施形態のシート巻取り装置を筐体の透視状態で示す側面図および背面図である。
【００２３】
図１に示すラベルプリンタＬＰは、剥離シートとその上に付着した粘着剤付きラベル用紙とを有する帯状のラベルシートにその長手方向に沿って例えば図示しないカッターローラによりラベルの輪郭をハーフカット状態で切り抜くラベル抜き加工を繰り返し施した後にそのラベルシートをロール状に巻いてなる図示しないラベルシートロールを装填されて、そのラベルシートロールからラベルシートを繰り出しながらそのラベルシートの剥離シート上のラベル用紙にラベルの輪郭位置に合わせてラベル印刷を繰り返し施すことにより粘着剤付きラベルを多数形成し、そのラベル用紙へのラベル印刷後のラベルシートＳを送出するものであり、このラベルプリンタＬＰのラベルシートＳを送出する側に配置してこのラベルプリンタＬＰと併用するこの実施形態のシート巻取り装置Ｒは、本体１を具え、この本体１は、平坦な台座部２と、その台座部２の後部上に概略台座部２の全幅に亘って立設された筐体３と、台座部２の前部の隅部（図１では右隅部）に筐体３と対向して立設されて連結ロッド４（図２では図示を省略する）で筐体３の前面パネル３ａに連結された前部支持板５とを有している。
【００２４】
この実施形態のシート巻取り装置Ｒはまた、各々筐体３の前面パネル３ａの上下方向中央部の側部（図１では右側部）と前部支持板５との間で本体１の前後方向（図１では紙面と直交する方向）に水平にかつ互いに平行に延在する二本の分離ローラ６，７（図２では図示を省略する）を具え、これらの分離ローラ６，７はそれらの外周面同士の間隔を開けた所定位置で、それらの支持軸の両端部を筐体３の前面パネル３ａと前部支持板５とにそれぞれ回転自在に支持されており、ラベルシートＳ’を案内する下側の分離ローラ６は、後述の如くしてそのラベルシートＳ’の剥離シートＰ上に残ったラベルＬがローラ外周面に沿って曲がった剥離シートＰから剥がれるのを防止するために、枠部Ｆを案内する上側の分離ローラ７よりも太い外径を有している。
【００２５】
この実施形態のシート巻取り装置Ｒはさらに、筐体３の前面パネル３ａの前方で本体１の前後方向に水平にかつ下側の分離ローラ６より下方および上側の分離ローラ７よりも上方で互いに平行に延在するラベルシート巻取り軸８および枠部巻取り軸９を具えるとともに、それらラベルシート巻取り軸８および枠部巻取り軸９の中間の高さで筐体３の内部から前面パネル３ａの開口部３ｂを遊貫して筐体３の前方に突出し、ラベルシート巻取り軸８と枠部巻取り軸９とを後述の如くして一緒に回転駆動する単一の通常の、例えば商用１００Ｖ単相交流で正逆転作動するレバーシブル型で減速機付きのＡＣモータ１０を具えており、ラベルシート巻取り軸８および枠部巻取り軸９の各々の後側部分は、筐体３の前面パネル３ａを貫通して筐体３の内部まで延在し、その前面パネル３ａと筐体３内に固設されて連結ロッド１１（図２では図示を省略する）で前面パネル３ａに連結された内部支持板１２とにそれぞれ設けられた例えばボールベアリングからなる軸受け１３により回転自在に支持されている。
【００２６】
なお、本体１は、筐体３の前面パネル３ａの、二本の分離ローラ６，７を支持する側とは反対側の側部（図１では左側部）の上部に操作パネル１ａを有し、この操作パネル１ａには、電源スイッチ１ｂと、パイロットランプ１ｃと、ヒューズホルダ１ｄと、回転方向切替スイッチ１ｅとが設けられており、電源スイッチ１ｂはＡＣモータ１０への商用１００Ｖ単相交流電源の供給および遮断を行い、パイロットランプ１ｃは電源スイッチ１ｂのＯＮ−ＯＦＦ状態に応じて点灯および消灯し、ヒューズホルダ１ｄはＡＣモータ１０の通常の動作が可能な所定許容電流のヒューズを収納し、回転方向切替スイッチ１ｅは電源スイッチ１ｂからの単相交流電源配線の一方を、ＡＣモータ１０のコンデンサを接続した正転用および逆転用の二本の電源端子に選択的に接続することでＡＣモータ１０の正転と逆転すなわちラベルシート巻取り軸８と枠部巻取り軸９とをラベルシートＳ’および枠部Ｆの巻取り方向に駆動する回転と緩め方向に駆動する回転とを切り替える。
【００２７】
ラベルシート巻取り軸８および枠部巻取り軸９の後端部は、内部支持板１２を貫通してその後側に突出するとともに第１の従動プーリ１４と第２の従動プーリ１５とをそれぞれ設けられており、第１の従動プーリ１４はラベルシート巻取り軸８の後端部に固定結合されている一方、第２の従動プーリ１５は枠部巻取り軸９の後端部に滑り状態で締結した後述の機械式摩擦クラッチ１６を介して駆動結合されている。また、ＡＣモータ１０の出力軸１０ａも、内部支持板１２を貫通してその後側に突出するとともに駆動プーリ１７を固定結合されており、さらに内部支持板１２の後側にはテンションプーリ１８（図３（ａ）では図示を省略する）が回転自在かつ固定位置調節可能に設けられ、それら第１の従動プーリ１４、第２の従動プーリ１５、駆動プーリ１７およびテンションプーリ１８と、それらのプーリ１４，１５，１７，１８に巻き掛けられた共通の例えば歯付きタイミングベルトからなる環状ベルト１９とでベルト伝動機構２０が構成されている。
【００２８】
図４（ａ）および図４（ｂ）は、この実施形態のシート巻取り装置の機械式摩擦クラッチ１６を構成する第２の従動プーリ１５および滑り部材１５ｅをそれぞれ示す端面図であり、図示のように機械式摩擦クラッチ１６は、回転部材としての第２の従動プーリ１５にその軸線方向の全長に亘って延在するとともに半径方向に延在する切れ目１５ａを形成し、その従動プーリ１５を弾性的に拡縮径可能にするとともに、第２の従動プーリ１５の小径のハブ部分に切れ目１５ａと交差するねじ孔１５ｂを設けてそのねじ孔１５ｂ内にねじ部材としてのボルト１５ｃを螺合させ、さらに第２の従動プーリ１５の中心孔内に、概略円筒状に形成するとともにその軸線方向の全長に亘って切れ目１５ｄを形成して弾性的に拡縮径可能とした、例えばジュラコン等の比較的摩擦係数の低い樹脂材料からなる滑り部材１５ｅを配置して、その滑り部材１５ｅを第２の従動プーリ１５の中心孔の内周面と枠部巻取り軸９の後端部の外周面との間に介在させ、ボルト１５ｃを締め込むことによってその切れ目１５ａ，１５ｄを縮小させて第２の従動プーリ１５と滑り部材１５ｅとを縮径させ、第２の従動プーリ１５と枠部巻取り軸９との間、具体的には第２の従動プーリ１５内の滑り部材１５ｅの内周面と枠部巻取り軸９の外周面との間の滑り締結力を強める一方、ボルト１５ｃを緩めることによってその切れ目１５ａ，１５ｄを拡大させて第２の従動プーリ１５と滑り部材１５ｅとを拡径させ、上記の第２の従動プーリ１５と枠部巻取り軸９との間の滑り締結力を弱めることで、その滑り締結力を調節可能に構成されている。
【００２９】
また、第１の従動プーリ１４と駆動プーリ１７とは互いに同一の外径を有する一方で、第２の従動プーリ１５は第１の従動プーリ１４および駆動プーリ１７よりも小さい外径を有しており、これにより、第１の従動プーリ１４およびそこに固定結合したラベルシート巻取り軸８はＡＣモータ１０の出力軸１０ａと等速で回転駆動されるのに対し、第２の従動プーリ１５はＡＣモータ１０の出力軸１０ａおよびラベルシート巻取り軸８よりもある程度、例えば１．２倍程度高速度で回転駆動され、その第２の従動プーリ１５に駆動結合した枠部巻取り軸９は、第２の従動プーリ１５に設けられた機械式摩擦クラッチ１６の、ボルト１５ｃの締め込み量の調節に基づく滑り締結によって回転速度を第２の従動プーリ１５よりも適宜減速されて、後述するラベルシートＳ’の巻取り速度に対応した巻取り速度で枠部Ｆを巻き取るように回転駆動される。
【００３０】
さらに、ラベルシート巻取り軸８上には、ラベルシートＳ’を巻き付けるための例えば紙筒からなる巻芯Ｃ１を外周面上に嵌挿される短い円筒状のスペーサ２１が軸線方向位置調節可能に挿通されてラベルシート巻取り軸８と一体回転するように固定ねじで固定されるとともに、その巻芯Ｃ１の両端に当接して巻芯Ｃ１を間に挟みラベルシート巻取り軸８と一体回転させる二枚のフランジ２２も軸線方向位置調節可能に挿通されて各々固定ねじ（図２，図３では蝶ねじ）で固定されており、後述の如くして巻芯Ｃ１上にラベルシートＳ’を巻き付けた後、手前側のフランジ２２の固定ねじを緩めてそのフランジ２２をラベルシート巻取り軸８上から抜き出すことで、ラベルシートＳ’を巻き付けた巻芯Ｃ１をスペーサ２１上から取り出すことができる。
【００３１】
一方、枠部巻取り軸９上には、枠部Ｆを巻きつけるための例えば紙筒からなる巻芯Ｃ２を外周面上に嵌挿される概略Ｃ字状断面の中間筒２３をそのＣ字の切れ目をキー２４ａで僅かに拡げて拡径した状態で嵌着された巻取りロール２４が枠部巻取り軸９と一体回転するようにねじで固定されており、後述の如くして巻芯Ｃ２上に枠部Ｆを巻き付けた後、中間筒２３を巻取りロール２４上から軸線方向に抜き出すことで、中間筒２３の切れ目からキー２４ａが外れて中間筒２３が縮径し、枠部Ｆをきつく巻き付けた巻芯Ｃ２から中間筒２３を容易に抜き出すことができる。
【００３２】
この実施形態のシート巻取り装置Ｒはさらに、筐体３の前面パネル３ａの、二本の分離ローラ６，７を支持する側と同じ側の側部（図１では右側部）の上端部に基端部を固定されて筐体３の側方に突出する固定支持腕２５と、その固定支持腕２５に片持ち支持された二本の支持軸２６に各々回転自在に支持された二本のフリーローラ２７（図２，図３では図示を省略する）とを有し、また、筐体３の前面パネル３ａの、固定支持腕２５を支持する側と同じ側の側部（図１では右側部）の下部と前部支持板５との間で本体１の前後方向（図１では紙面と直交する方向）に水平に延在して両端部をそれら筐体３の前面パネル３ａと前部支持板５とで回転自在に支持された揺動軸２８に基端部を片持ち支持されて互いに平行に延在しかつ揺動軸２８の軸線周りに上下方向揺動可能に筐体３の側方に突出する二本の揺動支持フレーム２９と、それらの揺動支持フレーム２９に各々両端部を固定された三本の支持軸３０に各々回転自在に支持されて二本のフリーローラ２７に対し上方から見て交互に並んで位置する三本のダンサーローラ３１（図２，図３では図示を省略する）とを有しており、これら二本のフリーローラ２７と二本の揺動支持フレーム２９と三本のダンサーローラ３１とは巻取り緩み防止機構３２を構成している。
【００３３】
この巻取り緩み防止機構３２は、図１に示すように、分離ローラ６，７より上流側でラベルプリンタＬＰから送り出された、枠部Ｆの分離前のラベルシートＳを三本のダンサーローラ３１と二本のフリーローラ２７とに交互に巻き掛けると、二本の揺動支持フレーム２９と三本の支持軸３０と三本のダンサーローラ３１との自重で適切な張力を付加した所定量のラベルシートＳをそれらダンサーローラ３１とフリーローラ２７とで保持しつつ、そのラベルシートＳを二本の分離ローラ６，７間に供給する。
【００３４】
ここで、揺動軸２８の後端部は筐体３の前面パネル３ａを貫通して筐体３内に突出し、その揺動軸２８の後端部には円盤状の偏心カム部材３３が固定されており、筐体３内には揺動軸２８に対して偏心した偏心カム部材３３の外周面に作動腕を摺接させた、例えば通常のマイクロスイッチからなる巻取り過ぎ防止スイッチ３４が設けられ、この巻取り過ぎ防止スイッチ３４は、電源スイッチ１ｂと回転方向切替スイッチ１ｅとの間の電源配線に介挿されていて、例えばラベルプリンタＬＰの作動等により上記ダンサーローラ３１とフリーローラ２７とによるラベルシートＳの保持量が所定量あって揺動支持フレーム２９が例えば水平等の所定角度まで下がっていると、偏心カム部材３３の外周面により作動腕を押し下げられてＯＮ状態を維持し、ＡＣモータ１０への給電を継続してＡＣモータ１０を動作させる一方、例えばラベルプリンタＬＰの停止等により上記ダンサーローラ３１とフリーローラ２７とによるラベルシートＳの保持量が所定量より少なくなって揺動支持フレーム２９が所定以上の傾斜角度で持ち上がると、偏心カム部材３３の外周面により作動腕が押し下げられなくなってＯＦＦ状態になり、ＡＣモータ１０への給電を停止してＡＣモータ１０の動作を停止させる。
【００３５】
この実施形態のシート巻取り装置Ｒはさらに、筐体３の前面パネル３ａの、二本の分離ローラ６，７を支持する側と同じ側の側部（図１では右側部）の、それら二本の分離ローラ６，７の上方の位置に基端部を揺動可能に支持された揺動支持腕３５と、その揺動支持腕３５の先端部に基端部を片持ち支持された支持軸３６と、その支持軸３６に回転自在に支持されて揺動支持腕３５の枠部巻取り軸９寄りの側端よりも外側に外周面を突出させた押えローラ３７とを有しており、この押えローラ３７は、その押えローラ３７と揺動支持腕３５と支持軸３６との自重により枠部巻取り軸９側に傾動して、巻芯Ｃ２上に巻き付けられた枠部Ｆを押さえ付け、枠部Ｆの緩みを防止することができる。
【００３６】
かかる実施形態のシート巻取り装置Ｒにあっては、図１，２に示すように、先ず、ラベルプリンタＬＰから送り出された、ラベルＬを印刷済みで枠部Ｆを分離する前のラベルシートＳを、三本のダンサーローラ３１と二本のフリーローラ２７とに交互に巻き掛けてある程度の長さ分保持した後、二本の分離ローラ６，７間に供給し、二本の分離ローラ６，７間を通したラベルシートＳの剥離シートＰ上から枠部Ｆを剥がして、その枠部Ｆの先端部を、枠部巻取り軸９上の巻取りロール２４に嵌挿された巻芯Ｃ２上に、例えばその枠部Ｆの粘着剤によって固着する一方、剥離シートＰ上にラベルＬだけが残ったラベルシートＳ’の先端部を、ラベルシート巻取り軸８上のスペーサ２１に嵌挿した巻芯Ｃ１上に、例えば粘着テープ等で固着する。
【００３７】
次いで、電源スイッチ１ｂおよび回転方向切替スイッチ１ｅの操作によりＡＣモータ１０を正転させると、ＡＣモータ１０の出力軸１０ａと等速でラベルシート巻取り軸８が回転してラベルシートＳ’を巻芯Ｃ１上に巻き取ってゆき、それと同時に、ＡＣモータ１０の出力軸１０ａよりも高速度で回転駆動される第２の従動プーリ１５に駆動結合した枠部巻取り軸９が、機械式摩擦クラッチ１６の滑り締結によって回転速度を第２の従動プーリ１５よりも適宜減速されて、枠部ＦやラベルシートＳ’の巻取りの進行に伴って増大する巻取り径の相違にかかわらず、ラベルシート巻取り軸８によるラベルシートＳ’の巻取り速度に対応した速度でラベルシートＳ上から枠部Ｆを上側の分離ローラ７の外周面に沿わせて連続的に引き剥がしながらその枠部Ｆを巻芯Ｃ２上に巻き取ってゆく。この巻取りの際、枠部Ｆに加わる張力が大き過ぎると枠部Ｆが切れる可能性があるので、枠部Ｆが切れないように機械式摩擦クラッチ１６のボルト１５ｃの締め込み量を適宜調節しておく。
【００３８】
ラベルプリンタＬＰがインクノズルの洗浄等のためにラベルシートＳの送り出しを中断してラベルシートＳを少し引き戻した場合には、ダンサーローラ３１とフリーローラ２７とによるラベルシートＳの保持量が減るも支持フレーム２９がさほど上がらないので、ラベルシートＳへの張力に影響を与えずに巻取り動作を継続してラベルシートＳ’および枠部Ｆの巻取り緩みを防止し、その一方、ラベルシートＳの送り出しの中断が長くなり、ラベルシートＳの保持量が大幅に減って支持フレーム２９が所定角度まで上がると、ＡＣモータ１０が自動的に動作を停止してラベルシートＳ’および枠部Ｆの巻取りを中断し、ラベルプリンタＬＰがラベルシートＳの送り出しを再開すると、ダンサーローラ３１とフリーローラ２７とによるラベルシートＳの保持量が戻って、ＡＣモータ１０は自動的にラベルシートＳ’および枠部Ｆの巻取りを再開する。
【００３９】
そしてラベルプリンタＬＰが印刷済みのラベルシートＳの送り出しを終了すると、送り出しの中断時と同様に、ダンサーローラ３１とフリーローラ２７とによるラベルシートＳの保持量が減り、ＡＣモータ１０が自動的に動作を停止してラベルシートＳ’および枠部Ｆの巻取りを終了する。その後は、ラベルシートＳ’の尾端部を緩まないように引っ張った状態で巻芯Ｃ１上のラベルシートＳ’に粘着テープあるいは剥がしたラベルＬ等で固定するとともに、粘着剤付きの枠部Ｆの尾端部もその尾端部の粘着剤で巻芯Ｃ２上の枠部Ｆに固定し、次いで、ラベルシート巻取り軸８上からフランジ２２を抜き取ってラベルシートＳ’を巻き取った巻芯Ｃ１をスペーサ２１から抜き出すとともに、枠部巻取り軸９上の巻取りロール２４から枠部Ｆを巻き取った巻芯Ｃ２をその内側の中間筒２３とともに抜き取り、さらに、巻取りロール２４からの抜き取りで縮径した中間筒２３を巻芯Ｃ２から抜き出して、巻取り作業を終了する。
【００４０】
従って、この実施形態のシート巻取り装置Ｒによれば、単一のＡＣモータ１０でラベルシート巻取り軸８と枠部巻取り軸９とを一緒に回転駆動し、しかも滑り締結状態の機械式摩擦クラッチ１６による伝動で、枠部巻取り軸９による枠部Ｆの巻取り速度を、枠部ＦやラベルシートＳ’の増大する巻取り径の相違にかかわらず、ラベルシート巻取り軸８によるラベルシートＳ’の巻取り速度に対応させるので、ラベルシートＳの剥離シートＰから粘着剤付きのラベルＬの周囲の連続的な梯子状の枠部Ｆだけを剥がして分離させ、粘着剤付きのラベルＬを剥離シートＰ上に付着したまま残した帯状のラベルシートＳ’と、粘着剤付きの枠部Ｆとを別途に巻き取るシート巻取り装置Ｒを、簡易且つ安価に構成することができる。
【００４１】
図５（ａ），図５（ｂ）および図５（ｃ）は、この発明のシート巻取り装置の他の一実施形態の要部を示す正面図、平面図および側面図であり、この実施形態のシート巻取り装置は、剥離シートＰ上からの枠部Ｆの引き剥がし時にラベルＬが一緒に剥がれるのを防止する櫛形部材３８を設けた点のみが先の実施形態と異なり、他の構成は先の実施形態と同様であるので、ここでは主にその櫛形部材３８を設けた点を説明する。
【００４２】
すなわち、この実施形態のシート巻取り装置は、図示例では透明な、例えばアクリル等の弾性変形可能な樹脂製の長方形の板材からなり、一方の長辺側の側部に櫛歯状の突起３８ａを多数形成した櫛形部材３８を二本の分離ローラ６，７の間に、突起３８ａの先端が上側の分離ローラ７の外周面よりもラベルシートＳの送り方向で下流側に多少突出するように挿入配置して、その櫛形部材３８の他方の長辺側の側部を支持棒３９に固定し、その支持棒３９を筐体３の前面パネル３ａに固定支持する一方、その櫛歯状の突起３８ａに対応する多数の浅い周方向溝７ａを上側の分離ローラ７の外周面に形成したものである。
【００４３】
かかる実施形態のシート巻取り装置によれば、先の実施形態と同様の作用効果を奏するのに加えて、粘着剤付きの枠部Ｆを剥離シートＰ上から引き剥がして帯状のラベルシートＳ’をラベルシート巻取り軸８上に巻き取るとともに連続的な梯子状の枠部Ｆを枠部巻取り軸９上に巻き取る際に、ラベルシートＳ上のラベル用紙のラベルＬと枠部Ｆとの粘着剤が先のハーフカット時に充分に切断されていなかったり切断後に再度粘着してしまったりしていて、枠部Ｆと一緒にラベルＬも剥離シートＰ上から剥がされるのを、櫛形部材３８の櫛歯状の突起３８ａでラベルＬを剥離シートＰ上に押え付けて防止することができる。
【００４４】
ところで、枠部Ｆには、ラベルシートＳ’の長手方向および幅方向にそれぞれ連続している部分があるが、それらの連続部分が何れかの突起３８ａに掛かる場合には、突起３８ａは枠部Ｆの連続部分で上方に押されて弾性的に反り上がり、分離ローラ７の周方向溝７ａ内に退避してその連続部分を逃がすので、突起３８ａからの過度の張力で枠部Ｆが切断されるのを防止することができる。また、必要に応じて上下の分離ローラ６，７の間隔を狭めたりそれらの分離ローラ６，７でラベルシートＳを挟持して送ったりする場合にも、櫛形部材３８の突起３８ａを分離ローラ７の周方向溝７ａ内に退避させることができる。なお、櫛形部材３８の突起３８ａがラベルＬを押え付けるとともに枠部Ｆの連続部分を逃がすのに適した低い弾性力を有している場合には、分離ローラ７の周方向溝７ａを省略することもできる。
【００４５】
以上、図示の実施形態に基づき説明したが、この発明は上述の実施形態に限定されるものでなく、特許請求の範囲の記載範囲内で適宜変更し得るものであり、例えばモータは、単相交流モータでなく三相交流モータや直流モータとしても良く、また伝動機構は、ベルト伝動機構でなく歯車伝動機構あるいはベルト伝動機構と歯車伝動機構との組合せとしても良い。
【００４６】
そして機械式摩擦クラッチは、枠部巻取り軸の外周面と第２の従動プーリ内の滑り部材の内周面との間の滑り締結でなく、例えばワッシャ状の二枚の滑り部材で第２の従動プーリの両端面を挟み、枠部巻取り軸に設けたフランジとその枠部巻取り軸の軸端部に螺合させたナットとでさらにそれら二枚の滑り部材と第２の従動プーリとを軸線方向に挟んで、そのナットを締め込んだり緩めたりして第２の従動プーリの挟持力を調節することで、滑り締結力を調節可能としても良い。
【産業上の利用可能性】
【００４７】
かくしてこの発明のシート巻取り装置によれば、単一のモータでラベルシート巻取り軸と枠部巻取り軸とを一緒に回転駆動し、しかも滑り締結状態の機械式摩擦クラッチによる伝動で、枠部巻取り軸による枠部の巻取り速度を、枠部やラベルシートの増大する巻取り径の相違にかかわらず、ラベルシート巻取り軸によるラベルシートの巻取り速度に対応させるので、ラベルシートの剥離シートから粘着剤付きラベルの周囲の連続的な梯子状の枠部だけを剥がして分離させ、粘着剤付きラベルを剥離シート上に付着したまま残した帯状のラベルシートと粘着剤付き枠部とを別途に巻き取るシート巻取り装置を、簡易且つ安価に構成することができる。
【符号の説明】
【００４８】
１  本体
１ａ  操作パネル
１ｂ  電源スイッチ
１ｃ  パイロットランプ
１ｄ  ヒューズホルダ
１ｅ  回転方向切替スイッチ
２  台座部
３  筐体
３ａ  前面パネル
３ｂ  開口部
４  連結ロッド
５  前部支持板
６  分離ローラ（下側）
７  分離ローラ（上側）
７ａ  周方向溝
８  ラベルシート巻取り軸
９  枠部巻取り軸
１０  ＡＣモータ
１０ａ  出力軸
１１  連結ロッド
１２  内部支持板
１３  軸受け
１４  第１の従動プーリ
１５  第２の従動プーリ
１５ａ，１５ｄ  切れ目
１５ｂ  ねじ孔
１５ｃ  ボルト
１５ｅ  滑り部材
１６  機械式摩擦クラッチ
１７  駆動プーリ
１８  テンションプーリ
１９  環状ベルト
２０  ベルト伝動機構
２１  スペーサ
２２  フランジ
２３  中間筒
２４  巻取りロール
２４ａ  キー
２５  固定支持腕
２６，３０，３６  支持軸
２７  フリーローラ
２８  揺動軸
２９  揺動支持フレーム
３１  ダンサーローラ
３２  巻取り緩み防止機構
３３  偏心カム部材
３４  巻取り過ぎ防止スイッチ
３５  揺動支持腕
３７  押えローラ
３８  櫛形部材
３８ａ  突起
３９  支持棒
Ｆ  枠部
Ｌ  ラベル
ＬＰ  ラベルプリンタ
Ｐ  剥離シート
Ｒ  シート巻取り装置
Ｓ，Ｓ’  ラベルシート
【図１】
2019031392.tif 000003
【図２】
2019031392.tif 000004
【図３】
2019031392.tif 000005
【図４】
2019031392.tif 000006
【図５】
2019031392.tif 000007